(57)【要約】【課題】用紙搬送・折り畳み速度を保持しつつ、用紙の衝突音、及び折り畳み位置のばらつきを低減する。【解決手段】用紙搬送路２１０  内に送り込まれた用紙の先端辺部分を当接させて用紙を停止させる用紙位置決めストッパ２５０  を含み、用紙の折り畳み位置を決定する、第１用紙折り畳み位置決定機構２００  を備える。用紙位置決めストッパ２５０  は、設定位置に固定保持される用紙ストッパ板２２０  と、この用紙ストッパ板２２０  より先に用紙の先端辺部分が当接してこれを減速するように弾性スライドし、この用紙先端辺部分を用紙ストッパ板２２０  へと引き渡すスライドストッパ２３０  と、を含む、２重ストッパ構造となっている。【選択図】        図１
2004345773.tif 000002
【特許請求の範囲】
【請求項１】
用紙を設定された速度で送り込んで、この用紙を予め定められた折り寸法、折りパターンに折り畳む紙折り装置であって、
送り込まれてきた用紙をガイドし搬送する用紙搬送路、及びこの用紙搬送路内に送り込まれてきた用紙の先端辺部分を当接させてこの用紙が更に前記用紙搬送路内へと入り込むのを停止させ、前記用紙に対する折り畳み位置を決定する用紙位置決めストッパ、を備えた折り畳み位置決定機構と、
この折り畳み位置決定機構で決定された折り畳み位置で、前記用紙を折り畳む、折りローラと、
を有して成り、
前記折り畳み位置決定機構の用紙位置決めストッパが、
前記用紙の先端辺部分を当接させて、この用紙が更に前記用紙搬送路内へと入り込むのを停止させる、用紙ストッパ板と、
この用紙ストッパ板を用紙折り畳み位置と対応する位置に移動させ固定する位置決め機構部と、前記用紙搬送路内に送り込まれてきた用紙に対し前記用紙ストッパ板より先にこの用紙の先端辺部分が当接してこれを減速するように弾性スライドし、この用紙の先端辺部分を前記用紙ストッパ板へと引き渡す、スライドストッパと、
を含む、２重ストッパ構造である、ことを特徴とする紙折り装置。
【請求項２】
前記折り畳み位置決定機構は、そのスライドストッパが、その用紙ストッパ板にばね材で連結されて、このばね材により、前記用紙ストッパ板に対し弾性スライドする構造である、請求項１記載の紙折り装置。
【請求項３】
前記折り畳み位置決定機構の用紙位置決めストッパは、そのスライドストッパが、その用紙ストッパ板の用紙先端辺部分が当接する部位に対し複数配設されて、用紙搬送路内に送り込まれてきた用紙の先端辺部分に対し複数箇所で当接する構造である、請求項１又は請求項２記載の紙折り装置。
【請求項４】
前記折り畳み位置決定機構の用紙位置決めストッパは、そのスライドストッパの、用紙先端辺部分が当接する部位に、板状の弾性部材を貼り付けた構造である、請求項１乃至請求項３のいずれか１項に記載の紙折り装置。
【請求項５】
前記折り畳み位置決め機構及び折りローラは、互いに組を成して複数段配設された構造である、請求項１乃至請求項４のいずれか１項に記載の紙折り装置。
【発明の詳細な説明】
【０００１】
【発明の属する技術分野】
本発明は紙折り装置に関し、特に送り込んだ用紙を予め定められた折り寸法、折りパターンに折り畳む紙折り装置に属する。
【０００２】
【従来の技術】
紙折り装置の一例として、用紙を２段に折り畳むことができる従来の紙折り装置について、図面を参照しながら説明する。
図６はこの種の紙折り装置の全体構成を示す側面図である。この紙折り装置の主要構成は、折り対象の用紙を設定された速度で装置内に送り込む、給紙機構１００と、用紙の最初の折り畳み位置を決定する第１折り畳み位置決定機構２００ｘと、この第１折り畳み位置決定機構２００ｘで決定された折り畳み位置で用紙を折り畳む第１折りローラ４１０と、この第１折りローラ４１０で折り畳まれた用紙の２番目の折り畳み位置を決定する第２折り畳み位置決定機構３００ｘと、この第２折り畳み位置決定機構３００ｘで決定された２番目の折り畳み位置で用紙を折り畳む第２折りローラ４２０と（これら折りローラ（４１０，４２０）はそれぞれが２つのローラで形成されていてそのうちの一方はこれら折りローラで共用している）、この第２折りローラ４２０で折り畳まれた用紙を折り済用紙受６００に搬送排紙する排紙機構５００と、を含む。
【０００３】
この紙折り装置の第１折り畳み位置決定機構２００ｘは、その上方から見た平面図と、その側面図とが図７（ａ），（ｂ）に示されており、上ガイド板２１１ｘ及び下ガイド板２１２ｘから成り、送り込まれてきた用紙をガイドし搬送する用紙搬送路２１０ｘと、この用紙搬送路２１０ｘ内に配置された用紙停止面２２１ｘを含み、用紙搬送路２１０ｘに送り込まれてきた用紙の先端辺部分がこの用紙停止面２２１ｘに当接して、この用紙が用紙搬送路２１０ｘ内に更に入り込むのを停止させる用紙ストッパ板２２０ｘと、位置決めモータ２４１ｘ、タイミングベルト２４２ｘ、ガイドねじ軸２４３ｘ、及びガイドブロック２４４ｘから成り、用紙ストッパ板２２０ｘを位置決め固定して用紙の最初の折り畳み位置を決定する位置決め機構部２４０ｘと、を備えた構造となっている。
【０００４】
また、第２折り畳み位置決定機構３００ｘは、その上方から見た平面図と、その側面図とが図８（ａ），（ｂ）に示されており、上ガイド板３１１ｘ及び下ガイド板３１２ｘから成り送り込まれてきた用紙をガイドし搬送する用紙搬送路３１０ｘと、この用紙搬送路３１０ｘ内に配置された用紙停止面３２１ｘを含み、用紙搬送路３１０ｘに送り込まれた用紙の先端辺部分がこの用紙停止面３２１ｘに当接して、この用紙が用紙搬送路３１０ｘ内に更に入り込むのを停止させる用紙ストッパ板３２０ｘと、位置決めモータ３４１ｘ、タイミングベルト３４２ｘ、ガイドねじ軸３４３ｘ、及びガイドブロック３４４ｘから成り、用紙ストッパ板３２０ｘを位置決め固定してこの用紙の２番目の折り畳み位置を決定する位置決め機構部３４０ｘと、を備えた構造となっている。
【０００５】
そして、図９（ａ），（ｂ）に示すように、先ず、給紙機構１００から用紙８００を、第１折り畳み位置決定機構２００ｘに対し設定された速度で送り込むと、用紙８００が用紙搬送路２１０ｘ内に入り込んでガイド、搬送され、その先端辺部分が用紙ストッパ板２２０ｘの用紙停止面２２１ｘに当接して、用紙が更に用紙搬送路２１０ｘ内へと入り込まれるのを停止させるが、給紙機構１００からは用紙８００が引き続き設定速度で送り込まれているため、用紙８００は第１折りローラ４１０方向にたわんでその先端部分がこの第１折りローラ４１０にくわえ込まれ、この第１折りローラ４１０により、用紙８００に対する最初の折り畳みが行われる（図９（ａ））。
【０００６】
続いて、第１折りローラ４１０で折り畳まれた用紙８００は第２折り畳み位置決定機構３００ｘへと送り込まれ、同様の動作により、用紙８００の先端辺部分が停止して第２折りローラ４２０にくわえ込まれ、用紙８００に対し２番目の折り畳みが行われる（図９（ｂ））。
【０００７】
この第２折りローラ４２０で折り畳まれた用紙８００は、排紙機構５００を通って、折り済用紙受６００に入る。
【０００８】
この紙折り装置では、毎分４５〜１５０枚程度の折り畳み動作が行われるので、用紙８００の移動速度もこれに比例して速く、用紙８００の先端辺部分が用紙ストッパ板２２０ｘ，３２０ｘに当接する衝突音が９０ｄＢ（Ａ）にも達し、オフィス環境での使用には騒音対策が必要である。
【０００９】
騒音対策の一例として、図１０（ａ），（ｂ）に示すような、用紙８００の先端辺部分が当接する部分を、支持部材７１０に対しゴムや発泡ウレタンなどの弾性板材で形成した、弾性当接板７２０や、支持部材７１０ａに対しばね７３０ａ，７３０ｂを介して当接板７４０、を配置することにより、これら弾性部材が、用紙８００衝突時に変形、変位するのを利用して、騒音を低減することが可能となる（例えば、特許文献１参照）。
【００１０】
【特許文献１】
特開平１１−１０６１２７号公報（図７，図９）
【００１１】
【発明が解決しようとする課題】
上述した従来の紙折り装置は、第１折り畳み位置決定機構２００ｘ及び第２折り畳み位置決定機構３００ｘにおいて、用紙搬送路２１０ｘ，３１０ｘに設定速度で送り込まれた用紙８００の先端辺部分を、位置決め機構部２４０ｘ，３４０ｘで位置決め固定された用紙ストッパ板２２０Ｘ，３２０ｘの用紙停止面２２１ｘ，３２１ｘに当接させて用紙８００の、用紙搬送路２１０ｘ，３１０ｘへの更なる進入を停止させることにより、用紙８００をたわませて第１折りローラ４１０及び第２折りローラ４２０にそのたわんだ用紙８００をくわえさせ、用紙８００をこれら折りローラ４１０，４２０で折り畳む構造となっており、この折り畳み動作は、毎分４５〜１５０枚程度となっていて用紙の移動速度もこれに伴って速いために、用紙８００の先端辺部分が用紙ストッパ板２２０ｘ，３２０ｘの用紙停止面２２１ｘ，３２１ｘに当接する衝突音（騒音）が大きくなる、という問題点があり、この騒音対象の一例として、用紙８００が当接する部分を弾性板材による弾性当接板７２０にしたり、当接板７４０とその支持部材７１０ａとの間にばね７３０ａ，７３０ｂを配置して、これら弾性部材の変形、変位を利用して、騒音を低減する方法もあるが、これらの方法では、用紙８００の先端辺部分が当接する面が固定されていないため、用紙８００の当接状態によって変化し、折り畳み位置にばらつきが生じやすい、という問題点がある。
【００１２】
本発明の目的は、上記従来技術の問題点に鑑みて、用紙折り畳み速度を維持しつつ、用紙の衝突音を低減することができ、かつ、用紙の折り畳み位置のばらつきが少ない、紙折り装置を提供することにある。
【００１３】
【課題を解決するための手段】
本発明の紙折り装置は、用紙を設定された速度で送り込んで、この用紙を予め定められた折り寸法、折りパターンに折り畳む紙折り装置であって、
送り込まれてきた用紙をガイドし搬送する用紙搬送路、及びこの用紙搬送路内に送り込まれてきた用紙の先端辺部分を当接させてこの用紙が更に前記用紙搬送路内へと入り込むのを停止させ、前記用紙に対する折り畳み位置を決定する用紙位置決めストッパ、を備えた折り畳み位置決定機構と、
この折り畳み位置決定機構で決定された折り畳み位置で、前記用紙を折り畳む、折りローラと、
を有して成り、
前記折り畳み位置決定機構の用紙位置決めストッパが、
前記用紙の先端辺部分を当接させて、この用紙が更に前記用紙搬送路内へと入り込むのを停止させる、用紙ストッパ板と、
この用紙ストッパ板を用紙折り畳み位置と対応する位置に移動させ固定する位置決め機構部と、前記用紙搬送路内に送り込まれてきた用紙に対し前記用紙ストッパ板より先にこの用紙の先端辺部分が当接してこれを減速するように弾性スライドし、この用紙の先端辺部分を前記用紙ストッパ板へと引き渡す、スライドストッパと、
を含む、２重ストッパ構造である、ことを特徴とする紙折り装置である。
【００１４】
また、前記折り畳み位置決定機構は、そのスライドストッパが、その用紙ストッパ板にばね材で連結されて、このばね材により、前記用紙ストッパ板に対し弾性スライドする構造である、構成を有している。
【００１５】
また、前記折り畳み位置決定機構の用紙位置決めストッパは、そのスライドストッパが、その用紙ストッパ板の用紙先端辺部分が当接する部位に対し複数配設されて、用紙搬送路内に送り込まれてきた用紙の先端辺部分に対し複数箇所で当接する構造であり、更に、そのスライドストッパの、用紙先端辺部分が当接する部位に、板状の弾性部材を貼り付けた構造である、構成を有している。
【００１６】
また、前記折り畳み位置決め機構及び折りローラは、互いに組を成して複数段配設された構造である、構成を有している。
【００１７】
【発明の実施の形態】
本発明の一実施の形態は、用紙を設定された速度で送り込んで、この用紙を予め定められた折り寸法、折りパターンに折り畳む紙折り装置であって、
送り込まれてきた用紙をガイドし搬送する用紙搬送路、及びこの用紙搬送路内に送り込まれてきた用紙の先端辺部分を当接させてこの用紙が更に上記用紙搬送路内へと入り込むのを停止させ、上記用紙に対する折り畳み位置を決定する用紙位置決めストッパ、を備えた折り畳み位置決定機構と、
この折り畳み位置決定機構で決定された折り畳み位置で、上記用紙を折り畳む、折りローラと、
を有して成り、
上記折り畳み位置決定機構の用紙位置決めストッパが、
上記用紙の先端辺部分を当接させて、この用紙が更に上記用紙搬送路内へと入り込むのを停止させる、用紙ストッパ板と、
この用紙ストッパ板を用紙折り畳み位置と対応する位置に移動させ固定する位置決め機構部と、上記用紙搬送路内に送り込まれてきた用紙に対し上記用紙ストッパ板より先にこの用紙の先端辺部分が当接してこれを減速するように弾性スライドし、この用紙の先端辺部分を上記用紙ストッパ板へと引き渡す、スライドストッパと、
を含む、２重ストッパ構造である、構成を有している。
【００１８】
このような構成、構造とすることにより、折り畳み位置決定機構の、送り込まれてきた用紙の先端辺部分が当接する部分が、最終的に用紙の先端辺部分を当接させて停止させる用紙ストッパ板に対し、この用紙ストッパ板より先に用紙の先端辺部分が当接してこれを減速するように弾性スライドするスライドストッパが設けられており、この弾性スライドにより用紙の衝突エネルギーが吸収されて、用紙搬送・折り畳み速度が従来と同様であっても、用紙の衝突音を小さくすることができ、しかも、用紙の先端辺部分は、スライドストッパから、固定位置にある用紙ストッパ板へと引き渡されて、この用紙ストッパ板により正確、かつ安定した折り畳み位置が決定されるので、用紙の折り畳み位置のばらつきは従来の弾性部材による当接板に比べて大幅に小さくすることができる。
【００１９】
【実施例】
次に本発明の実施例について図面を参照して説明する。
図１は本発明の一実施例の紙折り装置全体を示す側面図、図２（ａ），（ｂ）はこの紙折り装置の第１折り畳み位置決定機構部分の平面図及び側面図、図３（ａ），（ｂ）は第１折り畳み位置決定機構の用紙位置決めストッパ部分の拡大平面図及び側面図、図４（ａ）〜（ｄ）はその用紙先端辺部分位置決め手順を説明するための平面図、図５（ａ），（ｂ）はこの紙折り装置の第２折り畳み位置決定機構部分の平面図及び側面図である。
この実施例が図６〜図９に示された従来の紙折り装置と相違する部分は、第１折り畳み位置決定機構２００（従来例は２００ｘ）及び第２折り畳み位置決定機構３００（従来例は３００ｘ）であり、その詳細は次のとおりである。
【００２０】
まず、第１折り畳み位置決定機構２００は、上ガイド板２１１及び下ガイド板２１２から成り、その間に給紙機構１００から送り込まれた用紙８００をガイドし、搬送する用紙搬送路２１０と、この用紙搬送路２１０内に配置された用紙停止面２２１を含み、用紙搬送路２１０内に送り込まれた用紙８００の先端辺部分を当接させてこの用紙８００が更に用紙搬送路２１０内へと入り込むのを停止させ、用紙８００の最初の折り畳み位置を決定する用紙ストッパ板２２０と、用紙当接面２３１Ｆが用紙搬送路２１０内に配置されたスライドストッパ板２３１、このスライドストッパ板２３１を、用紙ストッパ板２２０に対し、カラー２３２、ガイドピン２３３、及びばね２３４により用紙８００の移動方向にスライド可能なように保持し、用紙搬送路２１０内に送り込まれた用紙８００の先端辺部分が用紙ストッパ板２２０より先に当接してこれを減速するように弾性スライドし、この用紙８００の先端辺部分を用紙ストッパ板２２０へと引き渡す（用紙当接面２３１Ｆが、用紙ストッパ板２２０の用紙停止面２２１より引っ込んだ位置までスライドして）、２つのスライドストッパ２３０と、用紙ストッパ板２２０を、用紙８００の最初の折り畳み位置と対応する位置に移動させ固定する、位置決めモータ２４１、タイミングベルト２４２、ガイドねじ軸２４３、及びガイドブロック２４４を含む位置決め機構部２４０と、を備えて構成され、用紙ストッパ板２２０、スライドストッパ２３０、及び位置決め機構２４０により、２重ストッパ構造の用紙位置決めストッパ２５０を形成する。
【００２１】
次に、この第１折り畳み位置決定機構２００による、用紙８００の最初の折り畳み位置決定動作について、図１乃至図４（ａ）〜（ｄ）及び、従来例の図９（ａ）を参照しながら説明する。
給紙機構１００から送り込まれた用紙８００は、第１折り畳み位置決定機構２００の用紙搬送路２１０内に導入されてその奥へと進入する。このとき、スライドストッパ２３０は、その用紙当接面２３１Ｆが用紙ストッパ板２２０の用紙停止面２２１より前の方（用紙進入側）に位置している（図４（ａ））。
【００２２】
給紙機構１００により、更に用紙８００が送り込まれると、用紙８００の先端辺部分が、２つのスライドストッパ板２３１の用紙当接面２３１Ｆに当接する（図４（ｂ））。これによりスライドストッパ板２３１は、用紙８００の移動する力でばね２３４が縮んで、減速するように弾性スライドし、用紙８００の先端辺部分を用紙ストッパ板２２０の用紙停止面２２１へと引き渡す（図４（ｃ））。
【００２３】
このとき、用紙ストッパ板２２０は固定されているので、用紙８００はこれ以上用紙搬送路２１０内に入り込まなくなり、一方、用紙８００は給紙機構１００により引き続き送り込まれているので、用紙搬送路２１０の前側でたわみが生じて、このたわんだ部分が第１の折りローラ４１０にくわえられて、用紙８００に対する最初の折り畳みが行われる（図９（ａ））。
【００２４】
用紙８００がたわんで第１折りローラ４１０にくわえられると、用紙８００はこの第１折りローラ４１０により、用紙搬送路２１０内から引き出されて行き、用紙８００が用紙ストッパ板２２０及びスライドストッパ板２３１から離れ、スライドストッパ板２３１はばね２３４により元の位置に戻る（図４（ｄ））。
【００２５】
この実施例における第１折り畳み位置決定機構２００では、用紙搬送路２１０に送り込まれてきた用紙８００の先端辺部分が当接する部分が、最終的にこの用紙８００の先端辺部分を当接させて停止させる、固定された用紙ストッパ板２２０に対し、この用紙ストッパ板２２０より先に用紙８００の先端辺部分が２箇所で当接してこれを減速するように弾性スライドする２つのスライドストッパ２３０が配設されていて、これら２つのスライドストッパ２３０の弾性スライドにより、用紙８００の衝突エネルギーが吸収され、この衝突エネルギーが小さくなった状態で固定状態の用紙ストッパ板２２０に安定して当接し停止するので、用紙搬送・折り畳み速度が従来例と同様に高速であっても、まず、用紙８００（その先端辺部分、以下同様に、単に用紙８００という場合もある）が２つのスライドストッパ２３０に当接する際の衝突音は小さくなり、更に、用紙８００が用紙ストッパ板２２０に当接する衝突音も小さくなる。
【００２６】
また、用紙８００の先端辺部分は、最紙的には固定状態にある用紙ストッパ板２２０に当接して停止することにより、用紙８００に対する最初の折り畳み位置が決定されるので、従来例の、弾性部材による当接板のような不安定さ、ばらつきは無くなり、用紙８００の折り畳み位置を、安定した状態で、かつ正確に出すことができて、そのばらつきも小さくすることができる。
【００２７】
次に、第２折り畳み位置決定機構３００について説明する。
この第２折り畳み位置決定機構３００についても、前述の第１折り畳み位置決定機構２００と同様に、用紙位置決めストッパ３５０は、その用紙先端辺部分が当接する部分は、用紙ストッパ板３２０に対し用紙８００が先に当接して弾性スライドするスライドストッパ３３０が設けられた、２重ストッパ構造となっている。その他の部分の詳細、動作及び効果等も前述の第１折り畳み位置決定機構２００と同様であるので省略する。
【００２８】
なお、この実施例において、スライドストッパ２３０，３３０の用紙当接面（２３１Ｆ等）に、板状の弾性部材、例えばエラストマー（その厚さは弾性変形により用紙折り畳み位置が変わらない程度の薄板）を貼り付けると、衝突音を更に小さくすることができ、また、衝突時に座屈傷が発生するのを抑えることができる。また、スライドストッパ板（２３１等）は、その材質をアルミニウム材または樹脂材料とすることにより、弾性スライドする際の慣性マスを低減することができ、これにより、衝突音及び座屈傷の更なる低減をはかることができる。
【００２９】
【発明の効果】
以上説明したように本発明は、用紙の先端辺部分を当接させてこれを停止させ、用紙に対する折り畳み位置を決定する折り畳み位置決定機構を、用紙折り畳み位置と対応する位置に固定される用紙ストッパ板と、この用紙ストッパ板より先に用紙の先端辺部分が当接してこれを減速するように弾性スライドし、この用紙の先端辺部分を用紙ストッパ板へと引き渡すスライドストッパと、を含む２重ストッパ構造とすることより、スライドストッパの弾性スライドにより用紙の衝突エネルギーが吸収されて、用紙搬送・折り畳み速度を従来例と同様の高速に保持した場合でも、用紙の衝突音を小さくすることができ、また、用紙の折り畳み位置は固定状態にある用紙ストッパ板により決定されるので、従来例の弾性部材による当接板のような変形、変位及び不安定さがなく、安定した状態で正確に出すことができて、そのばらつきを小さくすることができる、という効果がある。
【図面の簡単な説明】
【図１】本発明の一実施例を示す装置全体の側面図である。
【図２】図１に示された実施例の、第１折り畳み位置決定機構部分の平面図及び側面図である。
【図３】図２に示された第１折り畳み位置決定機構の用紙位置決めストッパ部分の拡大平面図及び側面図である。
【図４】図３に示された用紙位置決めストッパによる用紙位置決め手順を説明するための平面図である。
【図５】図１に示された実施例の、第２折り畳み位置決定機構部分の平面図及び側面図である。
【図６】従来の紙折り装置の一例を示す装置全体の側面図である。
【図７】図６に示された紙折り装置の第１折り畳み位置決定機構部分の平面図及び側面図である。
【図８】図６に示された紙折り装置の第２折り畳み位置決定機構部分の平面図及び側面図である。
【図９】図６に示された紙折り装置による用紙の折り畳み動作手順を説明するための側面図である。
【図１０】従来の紙折り装置における、用紙の先端辺部分が当接する当接板の２つの例を示す斜視図である。
【符号の説明】１００  給紙機構
２００，２００ｘ  第１折り畳み位置決定機構
２１０，２１０ｘ  用紙搬送路
２１１，２１１ｘ  上ガイド板
２１２，２１２ｘ  下ガイド板
２２０，２２０ｘ  用紙ストッパ板
２３０  スライドストッパ
２３１  スライドストッパ板
２３４  ばね
２４０，２４０ｘ  位置決め機構部
２５０，２５０ｘ  用紙位置決めストッパ
３００，３００ｘ  第２折り畳み位置決定機構
３１０，３１０ｘ  用紙搬送路
３２０，３２０ｘ  用紙ストッパ板
３３０  スライドストッパ
３４０，３４０ｘ  位置決め機構部
３５０，３５０ｘ  用紙位置決めストッパ
４１０  第１折りローラ
４２０  第２折りローラ
５００  排紙機構
６００  折り済用紙受
７１０，７１０ａ  支持部材
７２０  弾性当接板
７３０ａ，７３０ｂ  ばね
７４０  当接板
８００  用紙
【図１】
2004345773.tif 000003
【図２】
2004345773.tif 000004
【図３】
2004345773.tif 000005
【図４】
2004345773.tif 000006
【図５】
2004345773.tif 000007
【図６】
2004345773.tif 000008
【図７】
2004345773.tif 000009
【図８】
2004345773.tif 000010
【図９】
2004345773.tif 000011
【図１０】
2004345773.tif 000012